(57)【要約】      （修正有）【課題】ゴルフクラブのシャフト上に位置決めされるときにグリップを拡張する制御可能な圧縮空気を適用することにより、グリップのテープ無しの着座を可能にする。【解決手段】ゴルフグリップ着座器具は、圧縮空気の制御可能な付与によりグリップを拡張することにより、グリップをゴルフクラブのシャフトにテープ無しで着座させることを可能にする。ゴルフグリップ着座器具は、開放端部および閉鎖端部を備える軸方向ボアを有する囲い部材１０１と、スロット１０２と、囲い部材の閉鎖端部の中央に取り付けられる収斂ノズル１０３と、を有する。グリップの開放端部は、ゴルフクラブシャフトの開放端部の上に進み、シールを形成して、囲い部材内のノズルを介して付与される圧縮空気が、グリップを拡張し、グリップが遠位端において制御可能に膨らむときに超過空気がグリップとシャフトとの間から逃げるようにする。【選択図】図１
2011245279.tif 000002
【特許請求の範囲】
【請求項１】
閉鎖端部および開放端部を備える可撓性グリップを、係合し且つ対応する形状のシャフトに着座させるための器具であって、前記器具は、
開放端部および閉鎖端部を備える軸方向ボアを有する囲い部材と、
第１端部および前記囲い部材の前記閉鎖端部の中央に取り付けられる第２端部を備えるノズルと、を有し、前記ノズルの前記第２端部は、前記囲い部材の前記閉鎖部材に形成される開口部に接続され、
前記ノズルの前記第１端部は、前記グリップの閉鎖端部の係合穴に挿入可能であり、
前記囲い部材の前記閉鎖端部は、圧縮空気源に接続可能である、器具。
【請求項２】
請求項１に記載の器具であって、前記囲い部材は円筒形形状である、器具。
【請求項３】
請求項１に記載の器具であって、前記囲い部材は長円形形状である、器具。
【請求項４】
請求項１に記載の器具であって、前記囲い部材は矩形形状である、器具
【請求項５】
請求項１に記載の器具であって、前記圧縮空気源は、２０ｐｓｉから２００ｐｓｉの空気コンプレッサである、器具。
【請求項６】
請求項１に記載の器具であって、前記囲い部材は弾性材料から形成される、器具。
【請求項７】
請求項１に記載の器具であって、前記囲い部材は、前記囲い部材の軸に沿って長手方向に延びるスロットを備え、前記スロットは、前記囲い部材の側部に沿って、前記囲い部材の前記開放端部から、少なくとも一部において、前記囲い部材の前記閉鎖端部まで延びる、器具。
【請求項８】
請求項１に記載の器具であって、前記囲い部材は、前記グリップの長さの少なくとも二分の１である、器具。
【請求項９】
請求項１に記載の器具であって、前記囲い部材は、前記グリップの直径よりも少なくとも１０％大きい直径を備える、器具。
【請求項１０】
請求項１に記載の器具であって、前記囲い部材は、前記グリップが拡張するが前記グリップの弾性限界を超えないように調整可能な直径を備える、器具。
【請求項１１】
請求項１に記載の器具であって、前記囲い部材は、前記グリップが拡張するが前記グリップの側方の変形を防止するように調整可能な直径を備える、器具。
【請求項１２】
請求項１に記載の器具であって、開放端部においてグリップとシャフトとの間で空気が逃げることができる寸法を備えることで、前記器具は付与される空気圧力を自動的に規制する、器具。
【請求項１３】
請求項１に記載の器具であって、前記グリップの前記開放端部は前記係合するシャフトに挿入され、前記グリップの前記閉鎖端部は前記囲い部材の前記開放端部に挿入され、前記ノズルの前記第１端部は、前記グリップの前記係合穴に挿入され、前記囲い部材の前記閉鎖端部は、前記圧縮空気源に接続されて前記シャフトおよび前記グリップを空気で満たすように動作可能である、器具。
【発明の詳細な説明】
【技術分野】
【０００１】
[0001]本発明は概ねスポーツ器具の分野に関し、より具体的にはゴルフクラブのシャフト上にゴム引きされたグリップを着座させる分野に関する。
【背景技術】
【０００２】
[0002]ゴルフクラブのシャフトに両面テープを付与し、グリップをテープ領域上にスライドさせることによりグリップを着座させることができる。強い接着剤は早く乾くので、テープを用いるのは繁雑である。グリップを位置決めするときにグリップが即座にテープに接着するのを防止するために、ユーザーは、石鹸水をグリップのマウスに適用してテープの接着性を完全に溶解させることなくいくぶん緩める必要がある。多量の石鹸水は、テープ上の接着成分を無効にし、また、グリップの位置決めに長時間かかると、グリップが完全に位置決めされる前に接着剤が乾くので、失敗することがある。さらに、繁雑さおよび不便さに加えて、グリップは乾燥のために１０時間以上放置しなければならない。さらに、グリップがテープ付きシャフトに接着されると、グリップとテープとを共に取り除いて着座プロセスを繰り返すことなくグリップを再調整することができない。
【発明の概要】
【発明が解決しようとする課題】
【０００３】
[0003]空気圧グリップ付与器具を用いて、グリップをゴルフクラブのシャフト上に着座させることができる。しかし、これらの器具は、器具の操作を制御するための設備が無いので、付与する空気圧の正しい量を決定するために習熟が必要である。グリップはゴムから製造され、ゴム材料のメモリ機能により、あまり大きな圧力を加えると、グリップを恒久的に引き伸ばしてしまうことがあり、グリップを使用できなくしてしまうことがある。さらに、圧縮空気の付与中に、空気がグリップの閉じた端部に集まり、グリップの閉端部の急激な変形の原因となる。エアコンプレッサは、空気を３０ｐｓｉから２００ｐｓｉ（平方インチ毎）の圧力でグリップ内に吹き込む。器具の経験の無い操作者または不注意な操作者は、全力で空気をグリップに入れてしまい、グリップを修復できないくらい引き伸ばしてしまうことがある。
【０００４】
[0004]上述の理由により、グリップをゴルフクラブのシャフトに着座させることは、時間を消費し、またそれゆえ、ゴルフクラブの購入者や未熟なプロショップ従業員ではなく、たいていは経験のあるプロショップの従業員の手に委ねられる。
【課題を解決するための手段】
【０００５】
[0005]開示されるゴルフクラブのシャフトにグリップを着座させる器具（本明細書では「ゴルフグリップ着座器具」ともいう）は、ゴルフクラブのシャフト上に位置決めされるときにグリップを拡張する制御可能な圧縮空気を適用することにより、グリップのテープ無しの着座を可能にする。これは、グリップを苦労せずにシャフトにスライドさせることを可能にする。ゴルフグリップ着座器具は、開放端部および閉鎖端部を備える軸方向ボアを備える囲い部材と、開放端部および囲い部材の閉鎖端部の中央に取り付けられる閉鎖端部を備える収斂ノズルと、を有する。収斂ノズルの第１端部は、グリップの閉鎖端部の噛み合い穴に挿入可能であり、収斂ノズルの第２端部は、囲い部材の閉鎖端部に形成された開口部に接続される。囲い部材の閉鎖端部は、圧縮空気源に接続可能である。グリップの開放端部は、ゴルフクラブシャフトの開放端部の上に移動し、圧縮空気がグリップを拡張することを可能にするシールを形成し、しかし、グリップが遠位端部で制御可能に膨らむときに、過度な空気がグリップとシャフトとの間から逃げることを可能にする。グリップの閉鎖端部は、器具の囲い部材の閉鎖端部内に挿入可能である。圧縮空気が器具の閉鎖端部の開口部を通して器具に入り、グリップの閉鎖端部の噛み合い穴を通って流れる。圧縮空気は、ゴルフクラブのシャフトに流れて拡張していないグリップに入り、グリップが拡張しシャフトに沿って自由にスライドできるようになるまでこの空間を満たし、グリップをシャフトの端部に着座させる。器具の囲い部材の直径は、グリップの拡張を制限しつつ収容するように選択される。囲い部材の軸に沿って長手方向に延びるスロットは、器具の直径が増加するのを可能にし、空気がグリップに供給されたときにグリップの直径を増加させ、グリップの円筒形形状を変形させることなく複数の直径のグリップサイズのグリップを扱うことができるようにする。スロットの長手方向エッジは傾斜しており、それにより、囲い部材の回転がエッジと下のグリップとの間の接触を増加させ、グリップの再位置決めを容易にする。また、スロットは、周囲空気とグリップ内の空気との間の熱交換を促進し、着座中にグリップを通る空気が過度な熱によりグリップを変形させることを防止する。囲い部材は、円筒形、長円形、矩形とすることができる。ゴルフグリップ着座器具の囲い部材は、ゴムから製造することができる。しかし、限定するわけではないが、囲い部材を形成するように成形できる材料である限り、合成ゴムまたはプラスチックを含む他の材料を用いてもよい。しかし、この材料は、グリップの材料と化学的に反応しない材料であることが好ましい。グリップが完全にシャフト上に着座するとすぐにグリップは使用できる。
【図面の簡単な説明】
【０００６】
【図１】ゴルフグリップ着座器具の斜視図である。
【図２】ゴルフクラブのシャフト上のグリップに着座したゴルフグリップ着座器具の図である。
【図３】ゴルフグリップ着座器具を用いた、ゴルフクラブのシャフト上にグリップを着座させる方法のフローチャートである。
【図４】ゴムの応力−ひずみ曲線を示す図である。
【発明を実施するための形態】
【０００７】
典型的なグリップの特性および応用の考察
[0010]多くのゴルフグリップはゴムから形成される。ゴムグリップは、グリップが弾性限界を超えて伸ばされると伸びた形状を維持するメモリ機能がある。弾性は材料の物理的特性であり、これにより、材料を変形させる応力が取り除かれ後に、材料が元の形状に戻ることが可能になる。変形は、付与された力、圧縮力、せん断力、曲げ力、巻き力、または、ねじり力による物体の形状またはサイズの変化である。変形が生じると、内部に、付与された力に対抗する分子間力が発生する。付与された力があまり大きくないと、分子間力が付与される力に完全に抵抗するのに十分な力となり、物体に新しい平衡状態を仮定でき、負荷が取り除かれたときに元の状態に戻ることを可能にする。大きな力が付与されると、物体に永久的な変形を生じさせ、または、構造的な欠陥をも生じさせる。
【０００８】
[0011]図４は、ゴムの応力−ひずみ曲線を示す。ｘ軸はひずみであり、ｙ軸はパスカルで測定される応力である。ゴムは、ひずみに比例する応力４０１を示し；すなわち、ゴムは、弾性限界４０２に到るまではフックの法則に従う。弾性限界まで、応力の除去は、ゴムを伸びていない形状にまで戻す。弾性限界４０２に到達すると、応力が続くと永久変形を生じさせる。
【０００９】
[0012]変形したグリップは、もはやシャフトに緊密に着座しない。正しく着座したグリップは、グリップとグリップにより囲まれる材料との間の摩擦により所定位置に保持される。例示的な実施形態において、囲まれる材料は、ゴルフクラブのカバーされていないまたはテープの無いシャフトとすることができる。グリップが変形すると、囲まれる材料と完全には接触せずに、それゆえ、グリップは囲まれる材料上で静止位置を保たないであろう。
【００１０】
[0013]上述したように、ゴムグリップは応力により変形し得る。さらに、熱も変形の原因となる。伸びたゴムへの熱の付与はゴムの収縮の原因となる。理由は、ゴム分子を加熱すると分子の運動を増加させるからである。分子は、結果として整合性が低い状態となり、ゴムは加熱されたときに拡張ではなく収縮する。分子はよりもつれ収縮した状態になる。
【００１１】
ゴルフグリップ着座器具
[0014]開示されるゴルフクラブ着座器具は、ゴルフクラブのシャフト（または他の装置のシャフト）上へ位置決めするときに、圧縮空気にグリップを拡張させることにより、ゴルフクラブのシャフト（または他の装置のシャフト）上への制御されたテープ無しのグリップ着座を可能にする。これは、グリップがシャフト上で容易にスライドできるようにする。グリップの開放端部はシャフトの開放端部上を進み、圧縮空気がグリップを拡張させることを可能にするシールを形成し、一方で、過度の空気がグリップとシャフトとの間から逃げることを可能にする。器具の囲い部材の直径は、グリップの拡張を制限できるように選択される。拡張していないグリップは、器具の囲い部材内に挿入され、圧縮空気が囲い部材の閉鎖端部の開口部を通じて器具内に入り、グリップの閉鎖端部内の係合穴に流れる。圧縮空気はゴルフクラブのシャフト内に流れ、拡張していないグリップに流れ、グリップが拡張してシャフト上を自由にスライドし、シャフトの端部に着座するまで、これらの空間を満たす。
【００１２】
[0015]図１は、ゴルフクラブ着座器具の概略図を示している。ゴルフクラブ着座器具は、円筒形部材の軸に沿って長手方向に延びるスロット１０２を備える囲い部材１０１を有する。ゴルフグリップ着座器具の囲い部材１０１は、ゴム、または材料が囲い部材を形成するように形状付けることができる限り他の任意の材料から製造することができる。囲い部材１０１は、グリップの温度が、周囲温度に維持されることを保証する。これは、圧縮空気からの空気によるグリップ内の余分な熱は、グリップから囲い部材１０１へ伝導により移動するからである。長手方向のスロット１０２は、周囲空気とグリップ内の空気との間の熱交換を促進する。さらに、囲い部材の材料はグリップの材料と化学的に反応しないことが好ましい。
【００１３】
[0016]収斂ノズル１０３が囲い部材１０１の閉鎖端部の中央に取り付けられる。収斂ノズル１０３の開放端部は、ゴルフクラブグリップの係合穴内に挿入される。囲い部材１０１の閉鎖端部は、空気コンプレッサからの空気を受け入れる。
【００１４】
[0017]図２は、ゴルフグリップ着座器具１０１の空気ガン２０１およびグリップ２０２の例示的な取り付けを示している。空気ガン２０１は、空気コンプレッサ２０４または他の圧縮空気源に接続される。例示的な空気ガン２０１は、スクリューオンアダプタ（screw-on adaptor）を備える市販の吹き込みガンを含む。例示的な空気コンプレッサ２０４は、３０ｐｓｉから２００ｐｓｉの圧力の空気を供給するように設定された市販のコンプレッサを含む。３０ｐｓｉより低い空気圧力空気を供給するコンプレッサは、特別な訓練または運転免許を必要としない。空気ガン２０１が所定位置にねじ込まれるように、囲い部材１０１の閉鎖端部にネジ山を設けることができ、あるいは、代替的に、スナップオン空気ガンの取り付けを容易にするために囲い部材１０１の閉鎖端部にノッチを設けるようにしてもよい。
【００１５】
[0018]ゴルフグリップ着座器具は、空気圧力の力により空気ガン２０１が不意にグリップ２０２から外れることを防止する。グリップ２０２が器具に取り付けられたとき、器具の囲い部材１０１はグリップ２０２に緊密に留まり、収斂ノズル１０３は、グリップ２０２の係合穴にシールされる。空気がシャフト２０５およびグリップ２０２に流れると、グリップ２０２および囲い部材１０１の両者は拡張される。囲い部材１０１およびグリップ２０２は、摩擦により互いに締め付けられ、空気の突然の破裂がグリップを器具から外すことを防止する。
【００１６】
[0019]ゴルフの管理団体（governing bodies of golf）により出版されているゴルフのルールは、パターを除いて全てのゴルフクラブが円形の断面を備えなければならないことを要求しているので、器具の囲い部材１０１は円筒形にするとよい。しかし、パターは円形または矩形の断面を備えるようにしてもよい。それゆえ、代替的に、囲い部材１０１は、長円形状または、矩形にすることができる。ゴルフグリップ着座器具は、カバーされていないシャフト上に直接に、または予め存在するテープ層を備えるシャフト２０５上にグリップを着座させることができる。
【００１７】
[0020]グリップサイズは、クラブのフィッティングおよび性能に決定的な要素となり得る。全てのゴルファーに最適なグリップは存在せず、グリップの選択は個々人によりニーズや性能が幅広く変化する。ゴルフグリップは、いくつかのサイズで製造され、たとえば、小サイズ、中サイズ、大サイズ、女性用の標準、女性用の中サイズ、女性用の小サイズなどである。スロットは、円筒形の形状に影響を与えることなく器具の直径が増加するのを可能にする。テープのラップは、１／６４インチだけグリップサイズを増加させる。それゆえ、ゴルフグリップ着座器具は、ゴルファーが、大きなサイズのグリップを着座させるか、または、グリップを着座させる前にシャフトにテープを層状に設けるかにより、グリップサイズを仕立てることを可能にする。
【００１８】
[0021]ノズル１０３は収斂（テーパー付き）ノズルである。圧縮空気は、ノズル１０３の狭いネック部を通って流れ、圧縮空気の速度は、のど部における最大値に到達するまで連続的に増加する。それゆえ、収斂ノズルは、空気コンプレッサ２０４から受け取った空気を加速させる。
【００１９】
[0022]図３は、グリップをゴルフクラブのシャフトに着座させるためのゴルフクラブ着座器具の使用を示すフローチャートである。ゴルフクラブ着座器具は、始めに、ステップ３０１において、空気ガン２０１に取り付けられる。空気ガン２０１はステップ３０２において空気コンプレッサ２０４に取り付けられる。拡張していないグリップ２０２の閉鎖端部は、器具のノズル１０３がグリップ２０２の係合穴に完全に挿入されるまで、グリップ２０２を囲み部材１０１内にスライドさせることにより、ステップ３０３においてゴルフクラブ着座器具内に挿入される。グリップ２０２の閉鎖端部は、グリップ２０２が最初にシャフト２０５内に挿入されるときに、シャフト２０５の開放端部エッジの上で緩くかかり、またはいくつかの場合は、シャフト２０５の開放端部エッジの上に曲がる。囲い部材１０１は、グリップ２０２の閉鎖端部を固くし、使用者により過度な力が付与されるのを防止し、グリップ２０２をシャフト２０５上に押して、グリップが変形することを防止する。グリップ２０２の開放端部は、ステップ３０４においてゴルフクラブのシャフトの開放端部に取り付けられる。器具の操作者は、ステップ３０５において空気ガン２０１の引き金を引くことで圧縮空気をゴルフグリップ着座器具内に解放し、グリップ２０２がステップ３０６においてシャフト２０５上にしっかりと着座するまで、グリップ２０２をシャフト２０５上にスライドさせる。空気がグリップ２０２の閉鎖端部の係合穴内に吹き込まれたときに、空気はまずクラブのシャフト２０５内に流れる。シャフト２０５が完全に空気で満たされると、空気はグリップ２０２の最も近い閉鎖端部のグリップ区域に流れ込み、また、既に着座しているグリップ２０２の開放端部の一部とシャフト２０５との間の空間に流れる。閉鎖端部に最も近いグリップ２０２の区域は、多くの空気をトラップし；空気が制御されていないならばグリップは変形し得る。最後の２つのステップは、１つのステップに結合させることができる。代替的に、これらのステップは、グリップ２０２が漸次的にシャフト２０５に着座するように繰り返してもよい。ゴルフグリップ着座器具は、ステップ３０７において、器具をねじりグリップ２０２を器具の囲み部材１０１から取り外すことにより、グリップ２０２から取り外される。
【００２０】
[0023]グリップ２０２が完全にシャフト２０５上に着座して器具が取り外されたら、グリップ２０２はシャフト２０５の外側表面上を緊密にシールする。摩擦によりグリップ２０２がシャフト２０５上でのあらゆる運動を防止し、グリップ２０２は使用できる状態になる。
【００２１】
長手方向スロットの特徴
[0024]器具の囲い部材１０１の軸に沿って長手方向に延びるスロット１０２は、傾斜する長手方向エッジを備えることができ、これは、圧縮空気がグリップ２０２を拡張させるが、グリップが制御可能に膨らみ過度の空気が逃げることができるようにするシールを形成する。囲い部材１０１の回転がグリップ２０２とエッジとの間の接触を増加させるように、エッジは傾斜している。囲い部材１０１のいずれの方向の回転も、グリップ２０２をその方向に回転させ、それゆえ、グリップ２０２のシャフト２０５上での再位置決めを可能にする。
【００２２】
[0025]また、スロット１０２は、使用者がスロットを通して露出されているグリップ２０２の下の部分を見ることを可能にする。多くのグリップは、マークがスタンプされており、グリップのシャフト上への適切な位置合わせを容易にする。それゆえ、器具を操作するときに、器具の使用者はグリップ上の位置合わせマークの視認することができる。
【００２３】
[0026]スロット１０２は、グリップが拡張するが器具の直径までであることにより、シャフト２０５およびグリップ２０２への空気の流れがグリップを変形させるのを防止する。囲い部材の内側から圧力が付与されたときに囲い部材１０１の直径が増加するのを可能にすることで、スロット１０２により囲い部材１０１の直径が調整可能である。スロット１０２は、弾性材料の総領域を減らすことにより、囲い部材１０１の弾性が制御されることを可能にする。それゆえ、囲い部材１０１が、グリップ２０２と異なる材料から形成される場合でも、囲い部材１０１は、グリップ２０２の弾性限界に等しい弾性限界を備えるように構成することができる。
【００２４】
[0027]シャフト２０５およびグリップ２０２に流れる空気は、囲い部材１０１の内側表面上の圧力を増加させ、囲い部材１０１の直径を広げる。囲い部材１０１の直径は、囲い部材１０１の内側表面の圧力が減少したときに減少する。一実施形態において、圧力は、空気ガン２０１トリガが開放されるときに減少するようにすることができる。囲い部材１０１の直径は、空気流が中止されたときに拡張していない状態に戻る。
【００２５】
[0028]囲い部材１０１のスロット１０２は、シャフト２０５およびグリップ２０２内の空気圧力の規制を制御する。上述のように、器具の囲い部材１０１の軸に沿って長手方向に延びるスロット１０２は、グリップ２０２が拡張するが制限されることを可能にする。一実施形態において、この制限は、グリップの直径より１０％大きい。他の実施形態において、この制限は、グリップの材料の弾性限界である。空気がシャフト２０５およびグリップ２０２内に流れると、器具の囲い部材１０１の制限まで拡張し、グリップ２０２と下のシャフトの外側表面との間のギャップを形成する。グリップ２０２が囲い部材１０１の最大直径まで完全に拡張すると、超過空気がギャップを通って流れ、グリップの開放端部から排出される。それゆえ、空気が流れることができる最大の空間、すなわち、シャフトの容積およびグリップ２０２とシャフト２０５の外側表面とにより境界付けられる空間の容積は、器具の囲い部材１０１の最大直径と長さにより決定される。
【００２６】
[0029]器具の制御可能な空気圧規制は、グリップ２０２を変形させ得る空気圧の予期しない超過付与を防止する。さらに、使用者は空気コンプレッサを繰り返しチューニングして空気圧力を調整する必要がないので、使用者は、公知の手法と比較して２５％少ない時間でグリップ２０２の着座を完成させることができる。
【００２７】
[0030]囲い部材１０１の長さは、限定するわけではないが、グリップ２０２の長さの二分の一とすることができる。囲い部材１０１の長さは、上述したように、グリップ２０２内の空気圧力の規制に影響を与える。さらに、囲い部材１０１の長さは、グリップ２０２に付与し得る抵抗の総量に影響を与える。これは、囲い部材１０１の内側表面の面積がグリップ２０２の長さに比例するからである。グリップ２０２が囲い部材１０１の最大直径まで完全に拡張したときに、摩擦力がグリップ２０２に付与される。
【００２８】
[0031]ゴルフグリップ着座器具は、グリップ２０２の容易な位置合わせを可能にする。グリップ２０２が器具の囲い部材１０１の制限直径まで拡張すると、器具の囲い部材１０１により囲まれるグリップ２０２の部分は、囲い部材と摩擦係合する。グリップ２０２とシャフト２０５の外側表面との間に流れる空気は潤滑剤として機能し、器具を回すことで、使用者がグリップ２０２を所望の位置に整合させることができるようにする。
【００２９】
[0032]磨耗したグリップまたは使い古されたグリップを取り外すとき、スロット１０２を備える囲い部材１０１の直径および長さは、協働して抵抗力を付与し、使用者が器具を回すことで取り外しを実行できるようにする。上述したように、グリップ２０２内の空気の流れは、潤滑を提供し、また、囲い部材の制限直径まで拡張したときにグリップ２０２と囲い部材１０１との間に摩擦を提供して抵抗力を提供する。
【００３０】
[0033]ゴルフクラブのシャフト上にグリップを着座させるための器具が説明された。図面に示されたおよび本明細書で説明された具体的な実施形態は、例示的な目的であり、添付の特許請求の範囲により画定される本発明を制限するものではないことを理解されたい。さらに、当業者は、本発明の概念から逸脱することなく、説明された具体的な実施形態の多数の用途や修正形態を作成することができることが明らかである。等価な構造およびプロセスは、説明された構造およびプロセスに代替可能であり、本発明の方法のサブプロセスは、いくつかの例では、異なる順序で実行され得る。また、様々な異なる材料および素子を用いることもできる。したがって、本発明は、説明された装置および方法により所有されるあらゆる新規な特徴および組み合わせを包含するものであると解釈されるべきである。
【００３１】
[0034]比率、濃度、量、および他の数値データは、範囲として示されていることがある。そのような範囲は、便宜的および簡潔さのために使用されていると理解されたい。したがって、範囲を制限するとして明示的に示された数値だけでなく、個別の数値およびサブ範囲が明示的に記載されているかのようにその範囲内にあるあらゆる個別の数値またはサブ範囲を含むものであるとして柔軟に解釈されるべきである。
【図１】
2011245279.tif 000003
【図２】
2011245279.tif 000004
【図３】
2011245279.tif 000005
【図４】
2011245279.tif 000006
【外国語明細書】
2011245279000001.pdf